(57)【要約】【課題】各種部材の寸法精度や組み付け精度を低減させても、ブザーを所望の位置に精度良く固定させることのできる電子体温計を提供する。【解決手段】振動板８２の一方の面における端縁付近を支持する支持部２１と、振動板８２の他方の面における端縁付近を押圧することによって、振動板８２を支持部２１に対して押し付ける可撓性を有するブザーカバー７０と、を備えると共に、ブザーカバー７０における振動板８２が備えられている側とは反対側であってブザーカバー７０の中央付近を押圧し、ブザーカバー７０を撓ませることにより、ブザーカバー７０の弾性反発力によって、振動板８２の他方の面における端縁付近を押圧させる機構が設けられていることを特徴とする。【選択図】図８
2007309786.tif 000002
【特許請求の範囲】
【請求項１】
温度を検出するための温度センサと、
該温度センサによって検出されるデータに基づいた測定温度を表示する表示部と、
少なくとも測定終了時に音を鳴らすブザーと、
測定終了時を判断して前記ブザーに音を鳴らさせるように制御する回路、及び前記温度センサによって検出されるデータを処理して、当該処理により得られた測定温度を前記表示部に表示させるように制御する回路を含む制御回路と、を備え、
前記ブザーは振動板を備えており、
前記振動板は、該振動板の端縁付近において両面側から挟み込まれるように固定される電子体温計において、
前記振動板の一方の面における端縁付近を支持する支持部と、
前記振動板の他方の面における端縁付近を押圧することによって、該振動板を前記支持部に対して押し付ける可撓性を有する押圧部材と、を備えると共に、
前記押圧部材における前記振動板が備えられている側とは反対側であって該押圧部材の中央付近を押圧し、該押圧部材を撓ませることにより、該押圧部材の弾性反発力によって、前記振動板の他方の面における端縁付近を押圧させる機構が設けられていることを特徴とする電子体温計。
【請求項２】
前記押圧部材は、電子体温計本体の長手方向に垂直な幅方向両端の２箇所で前記振動板を押し付ける一対の押圧部と、該押圧部材の中央付近であって前記押圧部とは反対側に突出した突出部と、を備え、
前記押圧部材が電子体温計の筐体内部に装着された状態では、前記突出部が前記筐体の内壁面に当接し、その反力によって該押圧部材が撓まされることを特徴とする請求項１に記載の電子体温計。
【請求項３】
前記振動板は円板状であり、
かつ、前記押圧部材は、前記振動板の端縁に沿った位置で該振動板を押し付ける略円筒状の押圧部と、該押圧部材の中央付近であって前記押圧部とは反対側に突出した突出部と、を備え、
前記押圧部材が電子体温計の筐体内部に装着された状態では、前記突出部が前記筐体の内壁面に当接し、その反力によって該押圧部材が撓まされることを特徴とする請求項１に記載の電子体温計。
【請求項４】
電子体温計の筐体の内壁面に、該筐体内部に前記押圧部材が装着されると、該押圧部材の中央付近を押圧して、該押圧部材を撓ませる突出部が設けられていることを特徴とする請求項１に記載の電子体温計。
【請求項５】
前記振動板を支持する前記支持部は、前記振動板の振動音に共鳴する共鳴空間を形成するケースに設けられており、
該ケースは、前記振動板の振動に共振する共振部を有すると共に、前記共鳴空間の形成を妨げない位置に、前記共振部の共振効果を高める切欠を有することを特徴とする請求項１〜４のいずれか一つに記載の電子体温計。
【発明の詳細な説明】
【技術分野】
【０００１】
本発明は、電子体温計に関するものである。
【背景技術】
【０００２】
従来、使用者に対して体温の測定終了時等を知らせるためにブザーが備えられた電子体温計が知られている。このような電子体温計においては、小型のブザーでも音量を大きくすることが技術的課題の一つになっている。
【０００３】
小型のブザーでも音量を大きくするための手法として、ブザーに備えられた振動板の振動音に共鳴する共鳴空間を形成したり、ブザーを支持するケース等に振動板の振動に共振する共振部を設けたりする技術が知られている（特許文献１参照）。このような共鳴作用や共振作用を効果的に発揮させるためには、ブザーに備えられた振動板を設定通りに振動させることが必要不可欠である。そして、この振動板を設定通り振動させるためには、ブザー（振動板）を所望の位置に精度良く固定させる必要がある。従って、小型のブザーでも音量を大きくするためには、ブザーの固定構造が重要な要素の一つとなる。
【０００４】
図１２を参照して、従来例に係る電子体温計におけるブザーの固定構造の一例を説明する。図１２は従来例に係る電子体温計の断面図である。なお、図１２においては、電子体温計の長手方向に垂直な方向であって、かつブザーが設けられている部分を切断した断面を示している。
【０００５】
この従来例に係る電子体温計２００においては、外観を構成すると共に防水性を備えた外ケース２１１の中に、各種主要部品が取り付けられた内ケース２２０が圧入により装着されている。また、内ケース２２０にはブザーカバー２７０が取り付けられており、このブザーカバー２７０と内ケース２２０によってブザー２８０は位置決めかつ固定されている。ブザー２８０は、振動板上に圧電板が一体的に設けられた構成である。そして、このブザー２８０の振動板が、内ケース２２０に設けられた支持部２２１と、ブザーカバー２７０に設けられた一対の押圧部２７３とによって、振動板の端縁付近において、両面側から挟み込まれるように固定されている。
【０００６】
また、ブザーカバー２７０には、内ケース２２０が外ケース２１１に装着された状態において、外ケース２１１の内壁面に当接する一対の突出部２７２が設けられている。これら一対の突出部２７２が外ケース２１１の内壁面に当接し、かつ一対の押圧部２７３がブザー２８０の振動板に当接するため、ブザーカバー２７０は両面側から挟み込まれるように固定される。これにより、ブザー２８０の振動板は、ブザーカバー２７０と内ケース２２０によって両面側から挟み込まれるように位置決めかつ固定される。
【０００７】
このようにブザー２８０が位置決めかつ固定されると、ブザー２８０と内ケース２２０によって囲まれる領域に共鳴空間Ｒが形成される。そして、共鳴空間Ｒがブザー２８０の振動板の振動音に共鳴し、内ケース２２０が振動板の振動に共振することによって、ブザー２８０が小さくても、大きな音量を発生させることが可能となる。
【０００８】
しかしながら、これら共鳴作用や共振作用を効果的に発生させるためには、ブザー２８０の振動板が所望の位置（設計通りの位置）に精度良く固定される必要がある。つまり、ブザー２８０の振動板の中心部が最も大きく振れるように振動した場合を条件として、共鳴作用が生じるように共鳴空間Ｒが形成され、かつ、共振作用が生じるように内ケース２２０の固有振動数が設定されている。そのため、ブザー２８０の振動板が所望の位置に精
度良く固定されていないと、振動板において最も大きく振れる位置が中心部からずれてしまい、共鳴作用や共振作用が不十分になってしまう。
【０００９】
ここで、ブザー２８０の振動板を所望の位置に精度良く固定するためには、振動板の固定に係る部材である外ケース２１１，内ケース２２０，ブザーカバー２７０及びブザー２８０の振動板自体の寸法精度やこれらの部材の組み付け精度を高くしなければならない。何故なら、ブザー２８０の振動板の位置決め固定精度は、外ケース２１１に形成された挿入孔（内ケース２２０やブザーカバー２７０が挿入される挿入孔）の寸法と、内ケース２２０の高さ（図１２中、内ケース２２０の底面から支持部２２１の表面までの距離）と、ブザー２８０の振動板部分の厚みと、ブザーカバー２７０の高さ（突出部２７２の先端から押圧部２７３の先端までの高さ方向の距離）によってほぼ決定されるからである。
【００１０】
そのため、図１２中、各種部材が組み込まれた状態において、各種部材の左側の部分と右側の部分との間で寸法誤差が大きいと、ブザー２８０のうち一方の端縁が強く挟み込まれ、他方の端縁の挟み込みが弱くなってしまう。従って、ブザー２８０の振動板が振動する際に、最も大きく振れる位置が他方の端縁側にずれてしまう。これにより、共鳴作用や共振作用が不十分になってしまう。ここで、寸法誤差が大きくなる要因としては、各種部材自体の寸法精度によるものと、各種部材の組み付け精度によるものとがある。
【００１１】
なお、図１２に示す構造において、各種部材が組み込まれた状態において、例えば、ブザーカバー２７０における突出部２７２の先端から押圧部２７３の先端までの高さ方向の距離の寸法公差は０．１ｍｍ以下にしなければならなかった。
【００１２】
以上のように、小さなブザー２８０により大きな音量を発生させることが実現できるものの、従来構造においては、各種部材の寸法精度、及び各種部材の組み付け精度を高くしなければならなかった。そのため、各種部材を成形するための金型の寸法精度を高くしなければならず、かつ各種部材の寸法管理や組み付け精度も厳しくしなければならなかった。そして、これらはコストアップの原因にもなっていた。
【特許文献１】特開２００４−２０２４１号公報
【発明の開示】
【発明が解決しようとする課題】
【００１３】
本発明の目的は、各種部材の寸法精度や組み付け精度を低減させても、ブザーを所望の位置に精度良く固定させることのできる電子体温計を提供することにある。
【課題を解決するための手段】
【００１４】
本発明は、上記課題を解決するために以下の手段を採用した。
【００１５】
すなわち、本発明の電子体温計にあっては、
温度を検出するための温度センサと、
該温度センサによって検出されるデータに基づいた測定温度を表示する表示部と、
少なくとも測定終了時に音を鳴らすブザーと、
測定終了時を判断して前記ブザーに音を鳴らさせるように制御する回路、及び前記温度センサによって検出されるデータを処理して、当該処理により得られた測定温度を前記表示部に表示させるように制御する回路を含む制御回路と、を備え、
前記ブザーは振動板を備えており、
前記振動板は、該振動板の端縁付近において両面側から挟み込まれるように固定される電子体温計において、
前記振動板の一方の面における端縁付近を支持する支持部と、
前記振動板の他方の面における端縁付近を押圧することによって、該振動板を前記支持
部に対して押し付ける可撓性を有する押圧部材と、を備えると共に、
前記押圧部材における前記振動板が備えられている側とは反対側であって該押圧部材の中央付近を押圧し、該押圧部材を撓ませることにより、該押圧部材の弾性反発力によって、前記振動板の他方の面における端縁付近を押圧させる機構が設けられていることを特徴とする。
【００１６】
本発明に係る電子体温計は、可撓性を有する押圧部材の中央付近を押圧して、該押圧部材を撓ませることにより、該押圧部材の弾性反発力によって、ブザーの振動板を支持する支持部に対して該振動板を押しつけるように構成されている。従って、振動板の固定に係る各種部材に寸法の誤差があったとしても、押圧部材の撓み変形によって、寸法誤差を吸収し、振動板（ブザー）を所望の位置に精度良く固定させることができる。
【００１７】
ここで、前記押圧部材は、電子体温計本体の長手方向に垂直な幅方向両端の２箇所で前記振動板を押し付ける一対の押圧部と、該押圧部材の中央付近であって前記押圧部とは反対側に突出した突出部と、を備え、
前記押圧部材が電子体温計の筐体内部に装着された状態では、前記突出部が前記筐体の内壁面に当接し、その反力によって該押圧部材が撓まされるとよい。
【００１８】
また、前記振動板は円板状であり、
かつ、前記押圧部材は、前記振動板の端縁に沿った位置で該振動板を押し付ける略円筒状の押圧部と、該押圧部材の中央付近であって前記押圧部とは反対側に突出した突出部と、を備え、
前記押圧部材が電子体温計の筐体内部に装着された状態では、前記突出部が前記筐体の内壁面に当接し、その反力によって該押圧部材が撓まされることも好適である。
【００１９】
更に、電子体温計の筐体の内壁面に、該筐体内部に前記押圧部材が装着されると、該押圧部材の中央付近を押圧して、該押圧部材を撓ませる突出部が設けられていることも好適である。
【００２０】
また、前記振動板を支持する前記支持部は、前記振動板の振動音に共鳴する共鳴空間を形成するケースに設けられており、
該ケースは、前記振動板の振動に共振する共振部を有すると共に、前記共鳴空間の形成を妨げない位置に、前記共振部の共振効果を高める切欠を有するとよい。
【００２１】
これにより、前記振動板を所望の位置に精度良く固定させることができることと相俟って、小さなブザーでもより一層大きな音量を発生させることが可能となる。
【発明の効果】
【００２２】
以上説明したように、本発明によれば、各種部材の寸法精度や組み付け精度を低減させても、ブザーを所望の位置に精度良く固定させることができる。
【発明を実施するための最良の形態】
【００２３】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２４】
（実施例１）
図１〜図９を参照して、本発明の実施例１に係る電子体温計について説明する。図１は本発明の実施例１に係る電子体温計の平面図である。図２は本発明の実施例１に係る電子
体温計のブロック図である。図３は本発明の実施例１に係る電子体温計の一部破断斜視図である。図４は本発明の実施例１に係る内部ケースに各種部品を組み込んだ状態を示す斜視図である。図５は本発明の実施例１に係る内部ケースに対してブザーとブザーカバー（押圧部材）を組み込む様子を示す斜視図である。図６は本発明の実施例１に係るブザーカバーの六面図である。図７は本発明の実施例１に係るブザーの固定構造を示す図である。ここで、図７（ａ）はブザーの固定部分を示す平面図であり、図７（ｂ）はブザーの固定部分を示す断面図である。なお、図７（ｂ）は図７（ａ）のＡＡ断面図である。図８は本発明の実施例１に係る電子体温計の長手方向に垂直な断面図である。なお、図８において、内部ケース，ブザー及びブザーカバーについては、図７におけるＢＢ断面図に相当する。図９は本発明の実施例１に係る電子体温計の長手方向の断面図の一部である。
【００２５】
＜電子体温計全体の概略＞
特に、図１〜図４を参照して、本発明の実施例１に係る電子体温計全体の概略を説明する。本発明の実施例１に係る電子体温計１００は、外観を構成すると共に防水性を備えた外ケース（筐体）１１と、外ケース１１に設けられた表示部１２と、腋下や舌下などの被測定部位に当てる検温部となるＳＵＳキャップ１３と、電池を交換するための電池カバー１４とを備えている。
【００２６】
電子体温計１００における各種主要部品は、図４に示すように、内ケース２０に取り付けられる。そして、各種主要部品が取り付けられた内ケース２０が外ケース１１の中に装着される。図３は内ケース２０が外ケース１１に装着された状態において、外ケース１１のうちＳＵＳキャップ１３側の一部を切断した状態の斜視図を示している。
【００２７】
内ケース２０には、図４に示すように、制御部３０の主要部品である制御基板３１，電源部４０の主要部品である電池４１，ブザー８０及びブザーを位置決め固定するための押圧部材としてのブザーカバー７０などが取り付けられる。また、ＳＵＳキャップ１３の内部には、図２に示すように、被測定部位の温度を検出するための温度センサ１５が接着剤１６によって固定されている。
【００２８】
制御部３０は、電源部４０より電気が供給されると共に、操作部５０からの信号や温度センサ１５からの信号を入力する機能、及び報知部６０に対して信号を出力する機能を備えている。操作部５０は、使用者が体温を測定するために、電子体温計１００を操作するためのものであり、例えば押しボタンなどにより構成される。報知部６０は、本実施例においては、測定された温度（体温）などを表示するための表示部１２と、測定終了時等を知らせるためのブザー８０に相当する。
【００２９】
また、制御部３０には、測定終了時を判断してブザーに音を鳴らせるように制御する回路や、温度センサ１５によって検出されるデータを処理して、当該処理により得られた測定温度を表示部１２に表示させるように制御する回路などの制御回路が含まれている。なお、測定終了時の判断方法の一例としては、操作部５０から測定開始の信号が送られてからの経過時間を計測し、予め定められた時間に達した時を測定終了時と判断する方法が挙げられる。
【００３０】
＜ブザーの固定構造＞
特に、図５〜図９を参照して、本発明の実施例１に係るブザー８０の固定構造について説明する。
【００３１】
本実施例に係るブザー８０は、振動板８２に圧電板８１が一体的に設けられた構成である。振動板８２と圧電板８１はいずれも円板形状であり、中心が一致するように互いに一体的に固定されている。そして、本実施例では、振動板８２の円の中心が最も大きく振れ
るように、中心を挟んだ２箇所において、振動板８２の端縁付近を固定している。より具体的には、内ケース２０とブザーカバー７０によって振動板８２を両面側から挟み込むようして固定している。以下、このブザー８０（振動板８２）の固定構造について、詳細に説明する。
【００３２】
内ケース２０は、振動板８２の一方の面における端縁付近を支持する支持部２１と、ブザーカバー７０を係止するための一対の係止孔２２と、切欠部２３とを備えている。支持部２１は、振動板８２の端縁に沿うように振動板８２の一方の面に密着する環状の面により構成されている。係止孔２２は、内ケース２０の両側の側壁にそれぞれ設けられている。また、内ケース２０の側壁の一部に切欠部２３を設けることによって、側壁の剛性を低下させて、切欠部２３を挟んで両側の各側壁を振動し易くしている。なお、支持部２１にブザー８０が支持された状態で、ブザー８０と内ケース２０によって囲まれる空間により共鳴空間Ｒが形成される。上述した一対の係止孔２２と切欠部２３は、この共鳴空間Ｒの形成を妨げないように、支持部２１よりも上面側（共鳴空間Ｒの反対側）に設けられている。
【００３３】
押圧部材としてのブザーカバー７０は、樹脂などの材料により構成されており、可撓性を有している。そして、このブザーカバー７０は、板状の本体部７１と、本体部７１の中央に設けられた突出部７２と、本体部７１の両端側にそれぞれ設けられた一対の押圧部７３と、一対の押圧部７３の側面側にそれぞれ設けられた一対の係止片７４とを備えている。一対の押圧部７３は、電子体温計本体の長手方向に垂直な幅方向両端の２箇所で振動板８２を押し付ける部位であり、その底面は振動板８２の端縁に沿うように円弧形状となっている。そして、突出部７２は、これら一対の押圧部７３とは反対側に突出するように設けられている。また、一対の係止片７４は、内ケース２０に設けられた一対の係止孔２２にそれぞれ係止されるように構成されている。これら一対の係止片７４を一対の係止孔２２にそれぞれ係止させることで、ブザーカバー７０は内ケース２０に位置決めかつ固定される。
【００３４】
以上の構成により、内ケース２０の支持部２１にブザー８０を載せた状態で、ブザーカバー７０を内ケース２０に固定させると、ブザー８０（より具体的にはブザー８０の振動板８２）は、内ケース２０の支持部２１とブザーカバー７０の一対の押圧部７３によって挟み込まれた状態となる。図７はその状態を示している。なお、ブザーカバー７０を内ケース２０に固定させただけの状態においては、ブザー８０は支持部２１と押圧部７３によって緩く挟み込まれている。
【００３５】
そして、内ケース２０に他の部品（制御基板３１や電池４１など）を取り付けた状態で、内ケース２０を外ケース１１の中に装着する。図８及び図９は内ケース２０を外ケース１１の中に装着した状態を示している。内ケース２０が外ケース１１の中に装着されると、ブザーカバー７０の突出部７２が外ケース１１の内壁面１１ａに当接する。そのため、突出部７２は内壁面１１ａから図８，９中下方向（ブザー８０が備えられている方向）に反力Ｐ１を受ける。これにより、ブザーカバー７０の本体部７１の中央付近が押圧され、本体部７１は湾曲するように撓む（図８中矢印Ｍ１参照）。そして、この撓み変形による弾性反発力によって、一対の押圧部７３がブザー８０の振動板８２の端縁付近をそれぞれ押圧する。
【００３６】
以上のように、ブザー８０の振動板８２は、その一方の面における端縁付近（端縁に沿って一定幅を持つ部分）が内ケース２０の支持部２１に支持され、その他方の面における端縁付近（電子体温計本体の長手方向に垂直な幅方向両端の２箇所）がブザーカバー７０の一対の押圧部７３によって押し付けられる。従って、振動板８２は、振動板８２の端縁付近において両面側から挟み込まれるように強固に固定される。
【００３７】
また、ブザー８０と内ケース２０により囲まれことで形成される共鳴空間Ｒは、ブザー８０の振動板８２の中心部が最も大きく振れるように振動した場合に、その振動によって生じる振動音に共鳴するように設定されている。また、内ケース２０のうちの少なくとも一部分は、ブザー８０の振動板８２の中心部が最も大きく振れるように振動した場合に共振するように固有振動数が設定されている。
【００３８】
＜本実施例に係る電子体温計の優れている点＞
上記のように構成された本実施例に係る電子体温計１００によれば、ブザー８０の振動板８２は、その端縁付近において、内ケース２０の支持部２１と一対の押圧部７３によって両面側から挟み込まれるように強固に固定される。
【００３９】
そして、ブザーカバー７０の本体部７１の中央付近がブザー８０側に押圧されて湾曲するように撓みながら、一対の押圧部７３によって振動板８２の端縁付近を押圧するため、各種部材に寸法誤差が生じていても、一対の押圧部７３のうち一方の押圧力と他方の押圧力を均等にすることが可能となる（各押圧部７３の押圧力Ｐ２は突出部７２が受ける反力Ｐ１のほぼ半分となる）。この点について、更に詳細に説明する。
【００４０】
ブザー８０（振動板８２）の位置決め固定精度は、ブザー８０の振動板８２の固定に係る各種部材の寸法精度や、これらの部材の組み付け精度に影響される。具体的には、外ケース１１，内ケース２０，ブザーカバー７０及びブザー８０の振動板８２自体が、振動板８２の固定に係る部材である。しかし、本実施例によれば、上記の通り、ブザーカバー７０の本体部７１の中央付近がブザー８０側に押圧されて湾曲するように撓みながら、一対の押圧部７３によって振動板８２の端縁付近をそれぞれ押圧する。従って、上記各種部材の寸法精度や組み付け精度が低くても、一対の押圧部７３のうち一方の押圧力と他方の押圧力が均等になるように、ブザーカバー７０（特に本体部７１）が撓んで変形する。従って、ブザーカバー７０が撓み変形する分だけ、寸法誤差を吸収することができる。例えば、ブザーカバー７０における突出部７２の先端から押圧部７３の先端までの高さ方向の距離の寸法公差を、従来０．１ｍｍ以下に設定しなければならなかったのに対して、本実施例の場合には、０．２〜０．３ｍｍ程度まで緩くすることができた。
【００４１】
このように、外ケース１１に内ケース２０が装着された状態において、ブザー８０の振動板８２の固定に係る各種部材に寸法誤差が生じていても、一対の押圧部７３における一方の押圧力と他方の押圧力を均等にすることができる。そのため、ブザー８０（振動板８２）は、所望に位置（設計通りの位置）に精度良く固定される。従って、ブザー８０の振動板８２を設定通りに振動させることができる（具体的には、中心部が最も大きく振れるように振動させることができる）ため、より確実に共鳴作用や共振作用を発揮させることができる。これにより、ブザー８０が小さくても大きな音量を発生させることができる。
【００４２】
以上のように、外ケース１１，内ケース２０，ブザーカバー７０及びブザー８０の振動板８２など、振動板８２の固定に係る部材の寸法精度や、これらの部材の組み付け精度が低くても、ブザー８０（振動板８２）を所望の位置に精度良く固定させることができる。従って、これらの部材を成形するための金型の寸法精度を従来に比べて低くすることができ、これらの部材の寸法管理を従来に比べて緩くすることができ、また、組み付け精度も従来に比べて低くすることができる。これらに伴って、コストダウンを図ることもできる。
【００４３】
また、本実施例においては、内ケース２０の側壁の一部に切欠部２３を設けることによって、側壁の剛性を低下させて、切欠部２３を挟んで両側の各側壁を振動し易くしている。これにより、ブザー８０の振動板８２が振動した際において、内ケース２０の少なくと
も一部が共振する効果が高まり、ブザー８０が小さくてもより一層大きな音量を発生させることができる。
【００４４】
（実施例２）
図１０には、本発明の実施例２が示されている。本実施例では、押圧部材としてのブザーカバーの変形例を示す。その他の構成および作用については実施例１と同一なので、同一の構成部分については、同一の構成部分については同一の符号を付して、その説明は省略する。図１０は本発明の実施例２に係るブザーカバーの概略図である。なお、図１０（ａ）はその平面図であり、図１０（ｂ）はその断面図（図１０（ａ）中、ＡＡ断面図）である。
【００４５】
本実施例に係るブザーカバー７０ａも、上記実施例１と同様に、樹脂などの材料により構成されており、可撓性を有している。そして、このブザーカバー７０ａは、円板状の本体部７１ａと、本体部７１ａの中央に設けられた突出部７２ａと、本体部７１ａの端縁に沿って設けられた略円筒状の押圧部７３ａと、押圧部７３ａの側面側に設けられた一対の係止片７４ａとを備えている。押圧部７３ａは、振動板８２を押し付ける部位であり、その底面は振動板８２の端縁に沿うように環状となっている。そして、突出部７２ａは押圧部７３ａとは反対側に突出するように設けられている。また、一対の係止片７４ａは、内ケース２０に設けられた一対の係止孔２２にそれぞれ係止されるように構成されている。これら一対の係止片７４ａを一対の係止孔２２にそれぞれ係止させることで、ブザーカバー７０ａは内ケース２０に位置決めかつ固定される。
【００４６】
本実施例においても、内ケース２０の支持部２１にブザー８０を載せた状態で、本実施例に係るブザーカバー７０ａを内ケース２０に固定させると、ブザー８０（より具体的にはブザー８０の振動板８２）は、内ケース２０の支持部２１とブザーカバー７０ａの略円筒状の押圧部７３ａによって挟み込まれた状態となる。
【００４７】
そして、内ケース２０が外ケース１１の中に装着されると、ブザーカバー７０ａの突出部７２ａが外ケース１１の内壁面１１ａに当接する。そのため、突出部７２ａは内壁面１１ａから反力を受ける。これにより、ブザーカバー７０ａの本体部７１ａの中央付近が押圧され、本体部７１ａは湾曲するように撓む。この撓み変形による弾性反発力によって、略円筒状の押圧部７３ａがブザー８０の振動板８２の端縁付近を、端縁に沿って押圧する。
【００４８】
このように、本実施例においても、ブザーカバー７０ａの本体部７１ａの中央付近がブザー８０側に押圧されて湾曲するように撓みながら、略円筒状の押圧部７３ａによって振動板８２の端縁付近を全周に亘って押圧する。従って、振動板８２の固定に係る各種部材の寸法精度や組み付け精度が低くても、押圧部７３ａによる押圧力が全周に亘って均等になるように、ブザーカバー７０ａ（特に本体部７１ａ）が撓んで変形する。
【００４９】
以上より、本実施例においても、実施例１の場合と同様の効果を得ることができる。
【００５０】
（実施例３）
図１１には、本発明の実施例３が示されている。上記実施例１，２では、押圧部材であるブザーカバーに突出部を設け、この突出部が外ケースの内壁面に当接することで、ブザーカバーが撓むように構成された場合を示した。本実施例では、外ケースの内壁面に突出部を設け、この突出部によってブザーカバーを撓ませるように構成した場合を示す。その他の構成および作用については実施例１と同一なので、同一の構成部分については同一の符号を付して、その説明は省略する。図１１は本発明の実施例３に係る電子体温計の長手方向の断面図の一部である。なお、図１１は上記実施例１における図９と同じ位置の断面
を示している。
【００５１】
本実施例に係るブザーカバー７０ｂは、上記実施例１におけるブザーカバー７０のうち突出部７２が備えられていない点のみが異なり、その他の構成はブザーカバー７０と同一である。そして、本実施例においては、外ケース１１の内壁面に、外ケース１１の内部にブザーカバー７０ｂが装着されると、ブザーカバー７０ｂの中央付近を押圧して、ブザーカバー７０ｂを撓ませる突出部１１ｂが設けられている。
【００５２】
このように、本実施例においても、ブザーカバー７０ｂは実施例１におけるブザーカバー７０と同様に撓むため、実施例１の場合と同様の効果を得ることができる。
【図面の簡単な説明】
【００５３】
【図１】図１は本発明の実施例１に係る電子体温計の平面図である。
【図２】図２は本発明の実施例１に係る電子体温計のブロック図である。
【図３】図３は本発明の実施例１に係る電子体温計の一部破断斜視図である。
【図４】図４は本発明の実施例１に係る内部ケースに各種部品を組み込んだ状態を示す斜視図である。
【図５】図５は本発明の実施例１に係る内部ケースに対してブザーとブザーカバー（押圧部材）を組み込む様子を示す斜視図である。
【図６】図６は本発明の実施例１に係るブザーカバーの六面図である。
【図７】図７は本発明の実施例１に係るブザーの固定構造を示す図である。
【図８】図８は本発明の実施例１に係る電子体温計の長手方向に垂直な断面図である。
【図９】図９は本発明の実施例１に係る電子体温計の長手方向の断面図の一部である。
【図１０】図１０は本発明の実施例２に係るブザーカバーの概略図である。
【図１１】図１１は本発明の実施例３に係る電子体温計の長手方向の断面図の一部である。
【図１２】図１２は従来例に係る電子体温計の断面図である。
【符号の説明】
【００５４】
１１  外ケース
１１ａ  内壁面
１１ｂ  突出部
１２  表示部
１３  キャップ
１４  電池カバー
１５  温度センサ
１６  接着剤
２０  内ケース
２１  支持部
２２  係止孔
２３  切欠部
３０  制御部
３１  制御基板
４０  電源部
４１  電池
５０  操作部
６０  報知部
７０，７０ａ，７０ｂ  ブザーカバー
７１，７１ａ  本体部
７２，７２ａ  突出部
７３，７３ａ  押圧部
７４，７４ａ  係止片
８０  ブザー
８１  圧電板
８２  振動板
１００  電子体温計
Ｒ  共鳴空間
【図１】
2007309786.tif 000003
【図２】
2007309786.tif 000004
【図３】
2007309786.tif 000005
【図４】
2007309786.tif 000006
【図５】
2007309786.tif 000007
【図６】
2007309786.tif 000008
【図７】
2007309786.tif 000009
【図８】
2007309786.tif 000010
【図９】
2007309786.tif 000011
【図１０】
2007309786.tif 000012
【図１１】
2007309786.tif 000013
【図１２】
2007309786.tif 000014